(57)【要約】【課題】  本発明は衣服の胸ポケットにも３点で支持することもでき、揺れ動いたりすることなく、確実に固定状態で着脱可能に取付けることができ、かつ鏡、拡大鏡、拡大カガミとしても使用することができる飾りを得るにある。【解決手段】  外周部がレンズフレームで覆われた拡大鏡と、この拡大鏡の一側面のレンズフレームに固定された、該レンズフレームのほぼ半分の輪郭形状となる係止フックと、前記拡大鏡の他側面のレンズフレームで、かつ前記係止フックの固定部分と反対側部位に枢支ピンで回動可能に取付けられた、該拡大鏡とほぼ同じ大きさで、外壁面に装飾が形成されたカバーと、このカバーの前記拡大鏡側の内壁面に取付けられた鏡とで飾りを構成している。【選択図】  図３
2011050631.tif 000002
【特許請求の範囲】
【請求項１】
外周部がレンズフレームで覆われた拡大鏡と、この拡大鏡の一側面のレンズフレームに固定された、該レンズフレームのほぼ半分の輪郭形状となる係止フックと、前記拡大鏡の他側面のレンズフレームで、かつ前記係止フックの固定部分と反対側部位に枢支ピンで回動可能に取付けられた、該拡大鏡とほぼ同じ大きさで、外壁面に装飾が形成されたカバーと、このカバーの前記拡大鏡側の内壁面に取付けられた鏡とからなることを特徴とする飾り。
【請求項２】
拡大鏡やカバーは円形状、四角形状あるいは楕円形状に形成されていることを特徴とする請求項１記載の飾り。
【請求項３】
係止フックの拡大鏡の一側面のレンズフレームとの固定部は、該部位にチェーンが係止されても、該拡大鏡が揺れ動きずらい幅広で底面部が平面となるように形成されていることを特徴とする請求項１記載の飾り。
【発明の詳細な説明】
【技術分野】
【０００１】
本発明は衣服の襟元や胸のポケットの飾り、またはバックの縁に取付けるバック飾り、あるいは短いチェーンまたはストラップの付いたチャームバック飾りとして使用することができる飾りに関する。
【背景技術】
【０００２】
従来、ミラーとレンズとを組み合わせた携帯用備品が考えられている。
しかしながら、これらはいずれも紐、チェーン、ストラップを取付けて使用するものであるため、取付け部分に固定状態に位置させることができず、ぶら下げて持ち歩き、使用しているため、物にぶっかりレンズ等が破損することがあった。
【先行技術文献】
【特許文献】
【０００３】
【特許文献１】実開昭６４−５６７１４
【特許文献２】実開平２−６４３１１
【特許文献３】実開平５−８２３１０
【特許文献４】特開２００６−２８８６７７
【発明の概要】
【発明が解決しようとする課題】
【０００４】
本発明は以上のような従来の欠点に鑑み、衣服の襟元や胸ポケット等にも３点支持が可能で揺れ動いたりすることなく、確実に固定状態で着脱可能に取付けることができ、かつ鏡、拡大鏡、拡大カガミとしても使用することができる飾りを提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は外周部がレンズフレームで覆われた拡大鏡と、この拡大鏡の一側面のレンズフレームに固定された、該レンズフレームのほぼ半分の輪郭形状となる係止フックと、前記拡大鏡の他側面のレンズフレームで、かつ前記係止フックの固定部分と反対側部位に枢支ピンで回動可能に取付けられた、該拡大鏡とほぼ同じ大きさで、外壁面に装飾が形成されたカバーと、このカバーの前記拡大鏡側の内壁面に取付けられた鏡とで飾りを構成している。
【発明の効果】
【０００８】
以上の説明から明らかなように、本発明にあっては次に列挙する効果が得られる。
（１）外周部がレンズフレームで覆われた拡大鏡と、この拡大鏡の一側面のレンズフレームに固定された、該レンズフレームのほぼ半分の輪郭形状となる係止フックと、前記拡大鏡の他側面のレンズフレームで、かつ前記係止フックの固定部分と反対側部位に枢支ピンで回動可能に取付けられた、該拡大鏡とほぼ同じ大きさで、外壁面に装飾が形成されたカバーと、このカバーの前記拡大鏡側の内壁面に取付けられた鏡とで構成されているので、拡大鏡の一側面のレンズフレームと、該レンズフレームのほぼ半分の輪郭形状となる係止フックとで衣服の胸ポケットの襟部材等に３点支持状態ができるように着脱可能に取付けることができる。
したがって、３点支持状態ができるように胸ポケットの襟部材等に取付けられるので、ズレたり、移動するのを効率よく阻止できるポケットの襟飾りとして使用することができる。    
（２）前記（１）によって、拡大鏡としての使用、鏡としての使用、拡大カガミとしての使用を、ポケットの襟部材より取り外して、容易に使用することができる。
（３）前記（１）によって、ポケットの襟部材等に３点支持状態ができるように取付けることができるので、移動時にでも揺れ動くことがなく、きれいに見せることができる。
（４）前記（１）によって、机の上に置いた場合でも、係止フックにより、拡大鏡が直接、机の面に触れて、拡大鏡に傷をつけたり、汚れたりするのを確実に防止することが出来るとともに、係止フックがレンズフレームのほぼ半分の輪郭形状であるため、係止フックが脚部となって、安定した状態で机の上に置いたりすることができる。
（５）請求項２は前記（１）〜（３）と同様な効果が得られる。
（６）請求項３は前記（１）〜（３）と同様な効果が得られるとともに、係止フックをそのままバックの開口部に取り付けたり、チェーンを介して係止させることにより、バック飾りとして使用できるとともに、チェーンを用いた場合に拡大鏡等が大きく揺れ動くのを阻止して、きれいに見せることができる。
【図面の簡単な説明】
【０００９】
【図１】本発明を実施するための第１の形態の収納状態の正面図。
【図２】図１の２−２線に沿う断面図。
【図３】本発明を実施するための第１の形態の収納状態の背面図。
【図４】本発明を実施するための第１の形態の拡大鏡としての使用説明図。
【図５】本発明を実施するための第１の形態の鏡としての使用説明図。
【図６】本発明を実施するための第１の形態の拡大カガミとしての使用説明図。
【図７】本発明を実施するための第１の形態の襟飾りとしての使用説明図。
【図８】図７の使用説明図の背面図。
【図９】本発明を実施するための第１の形態のバックの飾りとしての使用説明図。
【図１０】本発明を実施するための第２の形態の収納状態の正面図。
【図１１】本発明を実施するための第２の形態の収納状態の背面図。
【図１２】本発明を実施するための第２の形態のカバーを開放した状態の説明図。
【図１３】本発明を実施するための第３の形態の収納状態の正面図。
【図１４】本発明を実施するための第３の形態の収納状態の背面図。
【図１５】本発明を実施するための第３の形態のカバーを開放した状態の説明図。
【発明を実施するための形態】
【００１０】
以下、図面に示す本発明を実施するための形態により、本発明を詳細に説明する。
【００１１】
図１ないし図9に示す本発明を実施するための第１の形態において、１は衣服の胸ポケットの襟飾り、拡大鏡、鏡、拡大カガミ、バック飾り等として使用することができる本発明の飾りで、この飾り１は外周部がリング状のレンズフレーム２で覆われた円形状の拡大鏡３と、この拡大鏡３の一側面のレンズフレーム２に広幅で低面部がほぼ平面である固定部４ｂで中央部が固定された、該レンズフレーム２のほぼ半分の輪郭形状となる半円弧状の係止フック４と、前記拡大鏡３の他側面のレンズフレーム２で、かつ前記係止フック４の固定部分と反対側部位に枢支ピン５で回動可能に取付けられた、該拡大鏡３とほぼ同じ大きさで、弧状の外壁面に装飾６が形成されたカバー７と、このカバー７の前記拡大鏡３側の内壁面に固定状態で取付けられた鏡８と、前記係止フック４の固定部分の他側面のレンズフレーム２に形成された、前記カバー７の遊端部の内側面中央部に形成された係合片９と係止される係合凹部１０とで構成されている。
【００１２】
上記構成の飾り１は携帯する場合、図１ないし図３に示すようにカバー７と拡大鏡３を重ねることにより、レンズフレーム２の係合凹部１０にカバー７の係合片９とが係合し、一体となる。
【００１３】
この状態で、図７および図８に示すように衣服１１の胸ポケット１２の襟部材１３を係止フック４と拡大鏡３で挟着することにより、固定部４ｂの低面部が胸ポケット１２の襟部材１３の上面と線接触状態となるとともに、係止フック４が半円弧形状であるため、該係止フック４の両端部４ａ、４ａと拡大鏡３のレンズフレーム２とで挟着され、３点で支持された状態にすることができ、ズレたり、移動したりすることなく、胸ポケット１２の襟部材１３に確実に係止することができる。
【００１４】
拡大鏡３として使用する場合には、図４に示すようにカバー７を、枢支ピン５を支点として回動させ、拡大鏡３とカバー７とを直線状態にし、カバー７を手で持って、拡大鏡３を拡大して見たい部位へ位置させて使用する。
【００１５】
鏡として使用する場合には図５に示すようにカバー７を、枢支ピン５を支点として回動させ、拡大鏡３とカバー７とを直線状態にし、拡大鏡３を手で持って、鏡８を見たい部分に位置させて使用する。
【００１６】
拡大カガミとして使用する場合には、図６に示すようにカバー７と拡大鏡３を収納状態のまま、拡大して見たい部分を、拡大鏡３を介して鏡８を見ることにより、見たい部分を拡大して見ることができる。
【００１７】
また、図９に示すようにバック１５のバック飾りとして使用する場合にも、バック１５の開口端部に胸ポケットと同様に係止フック４と拡大鏡３で挟着することにより、固定状態でとりつけることができる。
【００１８】
この場合、係止フック４の固定部４ｂの低面部が広幅でほぼ平面であるため、点状態での支持とは異なり、線状態となり、３点で支持された固定状態にできる。
【００１９】
[発明を実施するための異なる形態]
次に、図１0ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図１０ないし図１２に示す本発明を実施するための第２の形態において、前記本発明を実施するための第１の形態と主に異なる点は、四角形状、本発明の実施の形態では正方形状の拡大鏡３Ａ、カバー７Ａおよび鏡８Ａを用いるとともに、拡大鏡３Ａのレンズフレーム２Ａの上部半分の輪郭形状と同じ、コ字状に形成された係止フック４Ａを用いた点で、このように構成された飾り１Ａにしても、前記本発明を実施するための第１の形態と同様な作用効果が得られる。
【００２１】
図１３ないし図１５に示す本発明を実施するための第３の形態において、前記本発明を実施するための第１の形態と主に異なる点は、楕円形状に形成した拡大鏡３Ｂと、この拡大鏡３Ｂの長辺側の端部に、該拡大鏡３Ｂと同じ大きさの楕円形状のカバー７Ｂを枢支ピン５で回動可能に取付け、カバー７Ｂの内壁面に鏡８Ｂを取付けるとともに、前記拡大鏡３Ｂに取付けられた枢支ピン５とは反対側の部位に拡大鏡３Ｂのレンズフレーム２Ｂと一致する半楕円形状の係止フック４Ｂを固定した点で、このように構成した飾り１Ｂにしても、前記本発明を実施するための第１の形態と同様な作用効果が得られるとともに、使用時に楕円形状のため、拡大鏡３Ｂやカバー７Ｂをつかみやすく、楽に使用することができる。
【００２２】
なお、チェーン１４を用いて使用する場合に、動くたびに揺れるようにするには固定部４ｂを円柱状に形成したものを用いるとよい。
【００２３】
また、前記本発明の各実施の形態では拡大鏡やカバーは円形状、四角形状あるいは楕円形状に形成したものについて説明したが、本発明はこれに限らず、ハート形状やシェープ形状等、拡大鏡、鏡、拡大カガミとして使用することができる形状であれば、どんな形状であってもよい。
【産業上の利用可能性】
【００２４】
本発明は衣服の襟元や胸のポケットの飾り、またはバックの縁に取り付けるバック飾り、あるいは短いチェーンまたはストラップの付いたチャームバック飾りとして使用することができ、かつ拡大鏡、鏡、拡大カガミとして使用することができる飾りを製造する産業で利用される。
【符号の説明】
【００２５】
１、１Ａ、１Ｂ：飾り、
２、２Ａ、２Ｂ：レンズフレーム、
３、３Ａ、３Ｂ：、拡大鏡、  ４、４Ａ、４Ｂ：係止フック、
４ａ：両端部、                        ４ｂ：固定部、
５：枢支ピン、                          ６：装飾、
７、７Ａ、７Ｂ：カバー、    ８、８Ａ、８Ｂ：鏡、
９：係合片、                          １０：係合凹部、
１１：衣服、                          １２：胸ポケット、
１３：襟部材、                １４、１４Ａ：チェーン、
１５：バック。
【図１】
2011050631.tif 000003
【図２】
2011050631.tif 000004
【図３】
2011050631.tif 000005
【図４】
2011050631.tif 000006
【図５】
2011050631.tif 000007
【図６】
2011050631.tif 000008
【図７】
2011050631.tif 000009
【図８】
2011050631.tif 000010
【図９】
2011050631.tif 000011
【図１０】
2011050631.tif 000012
【図１１】
2011050631.tif 000013
【図１２】
2011050631.tif 000014
【図１３】
2011050631.tif 000015
【図１４】
2011050631.tif 000016
【図１５】
2011050631.tif 000017